(57)【特許請求の範囲】
【請求項１】
第一光通信路を通じて伝送される第一通信光の一部が第一漏洩光として取り出される第一光取出空間と第二光通信路を通じて伝送される第二通信光の一部が第二漏洩光として取り出される第二光取出空間とに連通される開口部と、前記開口部に形成される案内溝と、
を有している二連型ＬＣ用通信光可視化アダプタと、
前記開口部に着脱自在に収容されると共に前記開口部と同一の断面形状に形成される台座部と、前記台座部に配置されると共に前記第一光取出空間に臨んで前記第一漏洩光を受光する第一受光部と、前記台座部に配置されると共に前記第二光取出空間に臨んで前記第二漏洩光を受光する第二受光部と、前記台座部から前記第一受光部と前記第二受光部との間に延在して形成されると共に前記台座部が前記開口部に収容されるときに前記案内溝に案内されて前記第一光取出空間と前記第二光取出空間とを遮光する遮光壁と、前記第一光通信路における通信状況と前記第二光通信路における通信状況とを個別に表示する表示部と、を有している二連型ＬＣ用通信光検知器と、
を備えており、
前記案内溝は、前記開口部と前記台座部の断面形状が一方向のみでしか合致しない異形状となる位置に形成され、
前記二連型ＬＣ用通信光可視化アダプタは樹脂製であり、
前記遮光壁は、金属板が樹脂中にインサート成形されてなる
ことを特徴とする通信光可視化構造。
【請求項２】
前記第一受光部と前記第二受光部は、可視光を遮光する樹脂モールドで被覆されている請求項１に記載の通信光可視化構造。
【請求項３】
前記第一受光部と前記第二受光部は、面実装型受光素子からなる請求項１又は２に記載の通信光可視化構造。
【発明の詳細な説明】
【技術分野】
【０００１】
本発明は、光通信路における通信状況の目視確認を目的として光通信路を通じて伝送される通信光を可視化するための通信光可視化構造に関する。
【背景技術】
【０００２】
従来より、光通信関連設備においては、光通信路における通信状況（例えば、光通信路が使用中であるか否か）の目視確認を目的として光通信路を通じて伝送される通信光を可視化するための通信光可視化構造が使用されている。
【０００３】
従来の通信光可視化構造としては、例えば、第一光通信路を通じて伝送される第一通信光の一部と第二光通信路を通じて伝送される第二通信光の一部とを纏めて漏洩光として取り出すための二連型ＬＣ用通信光可視化アダプタと、二連型ＬＣ用通信光可視化アダプタを通じて取り出される漏洩光を検知すると共に第一光通信路と第二光通信路の少なくとも一つが使用中であるか否かを人間が目視確認できる形態で出力するための二連型ＬＣ用通信光検知器と、を備えるものが知られている（例えば、非特許文献１を参照）。
【先行技術文献】
【特許文献】
【０００４】
【特許文献１】特開２００９−１４５６７６号公報
【特許文献２】特開２０１０−２３１０８２号公報
【特許文献３】特開２０１１−０１３３５９号公報
【特許文献４】特開２０１１−０１３３６０号公報
【特許文献５】特開２０１３−２２８６７８号公報
【非特許文献】
【０００５】
【非特許文献１】鈴木香菜子、外7名、「ＬＣ型に対応した通信光可視化コネクタ」、日立金属技報、日立金属株式会社、2014年、Vol.30、p.40-45
【発明の概要】
【発明が解決しようとする課題】
【０００６】
しかしながら、従来の通信光可視化構造は、第一光通信路を通じて伝送される第一通信光と第二光通信路を通じて伝送される第二通信光とを個別に検知することはできず、第一光通信路における通信状況と第二光通信路における通信状況とを個別に判断することができないという課題を抱えている。
【０００７】
そこで、本発明の目的は、第一光通信路における通信状況と第二光通信路における通信状況とを個別に判断することが可能な通信光可視化構造を提供することにある。
【課題を解決するための手段】
【０００８】
本発明は、第一光通信路を通じて伝送される第一通信光の一部が第一漏洩光として取り出される第一光取出空間と第二光通信路を通じて伝送される第二通信光の一部が第二漏洩光として取り出される第二光取出空間とに連通される開口部と、前記開口部に形成される案内溝と、を有している二連型ＬＣ用通信光可視化アダプタと、前記開口部に着脱自在に収容されると共に前記開口部と同一の断面形状に形成される台座部と、前記台座部に配置されると共に前記第一光取出空間に臨んで前記第一漏洩光を受光する第一受光部と、前記台座部に配置されると共に前記第二光取出空間に臨んで前記第二漏洩光を受光する第二受光部と、前記台座部から前記第一受光部と前記第二受光部との間に延在して形成されると共に前記台座部が前記開口部に収容されるときに前記案内溝に案内されて前記第一光取出空間と前記第二光取出空間とを遮光する遮光壁と、前記第一光通信路における通信状況と前記第二光通信路における通信状況とを個別に表示する表示部と、を有している二連型ＬＣ用通信光検知器と、を備えており、前記案内溝は、前記開口部と前記台座部の断面形状が一方向のみでしか合致しない異形状となる位置に形成されている通信光可視化構造である。
【０００９】
前記遮光壁は、金属板が樹脂中にインサート成形されてなることが望ましい。
【００１０】
前記第一受光部と前記第二受光部は、可視光を遮光する樹脂モールドで被覆されていることが望ましい。
【００１１】
前記第一受光部と前記第二受光部は、面実装型受光素子からなることが望ましい。
【発明の効果】
【００１２】
本発明によれば、第一光通信路における通信状況と第二光通信路における通信状況とを個別に判断することが可能な通信光可視化構造を提供することができる。
【図面の簡単な説明】
【００１３】
【図１】本発明の実施の形態に係る通信光可視化構造を示す斜視図である。
【図２】図１のＡ−Ａ線部分断面図である。
【図３】図１の二連型ＬＣ用通信光可視化アダプタを示す上方斜視図である。
【図４】図１の二連型ＬＣ用通信光検知器を示す上方斜視図である。
【図５】図１の二連型ＬＣ用通信光検知器を示す下方斜視図である。
【発明を実施するための形態】
【００１４】
以下、本発明の実施の形態を添付図面に順って説明する。
【００１５】
図１，２に示す通り、本発明の実施の形態に係る通信光可視化構造１００は、第一光通信路１０１を通じて伝送される第一通信光１０２の一部を第一漏洩光１０３として取り出すと共に第二光通信路１０４を通じて伝送される第二通信光１０５の一部を第二漏洩光１０６として取り出すための二連型ＬＣ用通信光可視化アダプタ１０７と、二連型ＬＣ用通信光可視化アダプタ１０７を通じて取り出される第一漏洩光１０３と第二漏洩光１０６のそれぞれを第一受光部１０８と第二受光部１０９とを使用して個別に検知すると共に第一光通信路１０１と第二光通信路１０４のそれぞれが使用中であるか否かを人間が目視確認できる形態で個別に出力するための二連型ＬＣ用通信光検知器１１０と、を備えている。
【００１６】
図２，３に示す通り、二連型ＬＣ用通信光可視化アダプタ１０７は、第一光通信路１０１を通じて伝送される第一通信光１０２の一部が第一漏洩光１０３として取り出される第一光取出空間１１１と第二光通信路１０４を通じて伝送される第二通信光１０５の一部が第二漏洩光１０６として取り出される第二光取出空間１１２とに連通される開口部１１３と、開口部１１３に形成される案内溝１１４と、を有している。
【００１７】
第一光通信路１０１と第二光通信路１０４は、例えば、クラッドがコアの周囲に形成されてなる光ファイバからなり、第一光通信路１０１を通じて伝送される第一通信光１０２の一部と第二光通信路１０４を通じて伝送される第二通信光１０５の一部は、例えば、第一光通信路１０１の途中と第二光通信路１０４の途中とに設けられる光取出部（不図示）を通じて取り出される。
【００１８】
なお、光取出部は、光ファイバに溝を設けたり、光ファイバの光軸をずらしたりすることにより形成することができる（例えば、特許文献１から５を参照）。
【００１９】
第一光取出空間１１１と第二光取出空間１１２は、二連型ＬＣ用通信光検知器１１０が二連型ＬＣ用通信光可視化アダプタ１０７に取り付けられていないときは相互に連通されているが、二連型ＬＣ用通信光検知器１１０が二連型ＬＣ用通信光可視化アダプタ１０７に取り付けられているときは相互に遮光されている。
【００２０】
そのため、第一光通信路１０１における通信状況の目視確認と第二光通信路１０４における通信状況の目視確認とを行うときの第一漏洩光１０３と第二漏洩光１０６との干渉（クロストーク）を抑制することができ、第一光通信路１０１における通信状況と第二光通信路１０４における通信状況とを個別に判断することが可能となる。
【００２１】
更に、第一光取出空間１１１と第二光取出空間１１２は、二連型ＬＣ用通信光検知器１１０が二連型ＬＣ用通信光可視化アダプタ１０７に取り付けられていないときは開口部１１３を通じて他の空間と連通されているが、二連型ＬＣ用通信光検知器１１０が二連型ＬＣ用通信光可視化アダプタ１０７に取り付けられているときは他の空間と光学的に隔離されている。
【００２２】
開口部１１３は、二連型ＬＣ用通信光検知器１１０が二連型ＬＣ用通信光可視化アダプタ１０７に取り付けられるときに、第一受光部１０８と第二受光部１０９とを収容する。収容された二連型ＬＣ用通信光検知器１１０は、第一受光部１０８が第一漏洩光１０３のみを受光することができると共に第二受光部１０９が第二漏洩光１０６のみを受光することができるように、第一受光部１０８と第二受光部１０９とを外光から遮光する。
【００２３】
これらにより、第一漏洩光１０３と外光との干渉、並びに第二漏洩光１０６と外光との干渉が抑制されるため、第一光通信路１０１における通信状況と第二光通信路１０４における通信状況とを正確に判断することが可能となる。
【００２４】
案内溝１１４は、開口部１１３と後述する台座部１１５の断面形状が一方向のみでしか合致しない異形状となる位置に形成されている。
【００２５】
これにより、二連型ＬＣ用通信光検知器１１０が二連型ＬＣ用通信光可視化アダプタ１０７に取り付けられるときに二連型ＬＣ用通信光可視化アダプタ１０７に対する二連型ＬＣ用通信光検知器１１０の向きが一意に決まり、第一光通信路１０１における通信状況と第二光通信路１０４における通信状況とを誤認して逆に判断してしまうことを防止することが可能となる。
【００２６】
図２，４，５に示す通り、二連型ＬＣ用通信光検知器１１０は、開口部１１３に着脱自在に収容されると共に開口部１１３と同一の断面形状に形成される台座部１１５と、台座部１１５に配置されると共に第一光取出空間１１１に臨んで第一漏洩光１０３を受光する第一受光部１０８と、台座部１１５に配置されると共に第二光取出空間１１２に臨んで第二漏洩光１０６を受光する第二受光部１０９と、台座部１１５から第一受光部１０８と第二受光部１０９との間に延在して形成されると共に台座部１１５が開口部１１３に収容されるときに案内溝１１４に案内されて第一光取出空間１１１と第二光取出空間１１２とを遮光する遮光壁１１６と、第一光通信路１０１における通信状況と第二光通信路１０４における通信状況とを個別に表示する表示部１１７と、を有している。
【００２７】
台座部１１５は、二連型ＬＣ用通信光検知器１１０が二連型ＬＣ用通信光可視化アダプタ１０７に取り付けられるときに開口部１１３に収容される。
【００２８】
これにより、第一受光部１０８を第一光通信路１０１の光取出部に近接させることができると共に第二受光部１０９を第二光通信路１０４の光取出部に近接させることができるため、光取出部を通じて取り出される漏洩光の光量が少なくても、即ち、光取出部における伝送損失を最小限に抑えても、第一受光部１０８によって第一漏洩光１０３を確実に検知することが可能となり、また第二受光部１０９によって第二漏洩光１０６を確実に検知することが可能となる。
【００２９】
また、先記の通り、二連型ＬＣ用通信光検知器１１０が二連型ＬＣ用通信光可視化アダプタ１０７に取り付けられるときに台座部１１５が開口部１１３に収容されるため、第一漏洩光１０３と外光との干渉、並びに第二漏洩光１０６と外光との干渉が抑制されるため、第一光通信路１０１における通信状況と第二光通信路１０４における通信状況とを正確に判断することが可能となる。
【００３０】
第一受光部１０８と第二受光部１０９は、外光（可視光）を遮光する樹脂モールド１１８で被覆されていることが望ましい。これにより、外光が第一受光部１０８と第二受光部１０９とに到達することを抑制することができるため、第一漏洩光１０３と外光との干渉、並びに第二漏洩光１０６と外光との干渉を効果的に抑制することが可能となる。
【００３１】
また、第一受光部１０８と第二受光部１０９は、面実装型受光素子からなることが望ましい。これにより、第一受光部１０８を第一光通信路１０１の光取出部に近接させることができると共に第二受光部１０９を第二光通信路１０４の光取出部に近接させることができるため、第一光通信路１０１における通信状況と第二光通信路１０４における通信状況とを正確に判断することが可能となる。
【００３２】
遮光壁１１６は、金属板１１９が樹脂中にインサート成形されてなることが望ましい。これにより、たとえ第一漏洩光１０３や第二漏洩光１０６が樹脂中を透過したとしても、金属板１１９で確実に反射させることができるため、第一漏洩光１０３と第二漏洩光１０６との干渉を効果的に防止すると共に第一漏洩光１０３と第二漏洩光１０６とを第一受光部１０８と第二受光部１０９とで効率的に受光することが可能となる。
【００３３】
表示部１１７は、例えば、発光素子や液晶画面を通じて第一光通信路１０１と第二光通信路１０４のそれぞれが使用中であるか否かを人間が目視確認できる形態で個別に出力する。これにより、第一光通信路１０１における通信状況と第二光通信路１０４における通信状況とを目視確認することが可能となる。
【００３４】
また、表示部１１７は、電源スイッチ１２０を通じて電源がオン／オフされる。これにより、無駄な電力消費を無くすことが可能となる。
【００３５】
なお、通信光可視化構造１００においては、遮光の必要な部分に黒色の樹脂、例えば、アクリロニトリルブタジエンスチレン（ＡＢＳ）樹脂、ポリカーボネート（ＰＣ）樹脂、又はポリブチレンテレフタレート（ＰＢＴ）樹脂を使用することができる。
【００３６】
以上の通り、本発明によれば、第一光通信路１０１における通信状況と第二光通信路１０４における通信状況とを個別に判断することが可能な通信光可視化構造１００を提供することができる。
【符号の説明】
【００３７】
１００  通信光可視化構造
１０１  第一光通信路
１０２  第一通信光
１０３  第一漏洩光
１０４  第二光通信路
１０５  第二通信光
１０６  第二漏洩光
１０７  二連型ＬＣ用通信光可視化アダプタ
１０８  第一受光部
１０９  第二受光部
１１０  二連型ＬＣ用通信光検知器
１１１  第一光取出空間
１１２  第二光取出空間
１１３  開口部
１１４  案内溝
１１５  台座部
１１６  遮光壁
１１７  表示部
１１８  樹脂モールド
１１９  金属板
１２０  電源スイッチ
【図１】
0006601089.tif 000002
【図２】
0006601089.tif 000003
【図３】
0006601089.tif 000004
【図４】
0006601089.tif 000005
【図５】
0006601089.tif 000006